(57)【要約】【課題】目標プロジェクトの修正作業が簡単でかつ分割プロジェクト中のデータの使い回しを可能とする。【解決手段】本プロジェクト作成方法は、コンピュータ上でそれに搭載したデータ作成用アプリケーションソフトを用いて複数のプロジェクト（分割プロジェクト）を分担作成する第１ステップと、コンピュータ上でそれに搭載したプロジェクト管理用アプリケーションソフト（プロジェクトマネージャ）を用いて上記作成が完了した分割プロジェクトの登録、各分割プロジェクトが含むデータの中から合成するデータの決定、この決定後に合成の実行を行うことにより、その決定に関わるデータが合成されたプロジェクト（合成プロジェクト）を目標プロジェクトとして得る第２ステップと、を含む。【選択図】図１
2007249346.tif 000002
【特許請求の範囲】
【請求項１】
コンピュータ上でそれに搭載したデータ作成用アプリケーションソフトを用いて複数のプロジェクト（分割プロジェクト）を分担作成する第１ステップと、
コンピュータ上でそれに搭載したプロジェクト管理用アプリケーションソフト（プロジェクトマネージャ）を用いて上記作成が完了した分割プロジェクトの登録、各分割プロジェクトが含むデータの中から合成するデータの決定、この決定後に合成の実行を行うことにより、その決定に関わるデータが合成されたプロジェクト（合成プロジェクト）を目標プロジェクトとして得る第２ステップと、
を含むことを特徴とするプロジェクト作成方法。
【請求項２】
第２ステップの合成プロジェクトに含まれるデータの中に不具合のあるデータが存在するときは、第１ステップに戻ってその不具合のあるデータに対応する分割プロジェクトが含むデータを修正し、再度、第２ステップで合成プロジェクトを構築する、ことを特徴とするコンピュータを用いた請求項１に記載のプロジェクト作成方法。
【発明の詳細な説明】
【技術分野】
【０００１】
本発明は、コンピュータ上でそれに搭載したデータ作成用アプリケーションソフトを実行してプロジェクトを作成する方法に関するものである。プロジェクトは、画面データ、音声データ、レシピデータ、画像データ等の各種データを含む。
【背景技術】
【０００２】
図１０のように、コンピュータを用いて１つのプロジェクト（目標プロジェクトＡ）を１人の作業者が作成した場合、目標プロジェクトＡの作成に極めて長い時間例えば３週間かかるとする。
【０００３】
これに対して、図１１のように、その目標プロジェクトＡを複数例えば３つのプロジェクト（分割プロジェクト１〜３）に分割し、これら分割した３つの分割プロジェクト１〜３を３人の作業者が分担して個々のコンピュータ上でそれに搭載したデータ作成用アプリケーションソフトを用いて作成すると、各分割プロジェクト１〜３それぞれは１週間で作成することができ、目標プロジェクトＡの作成時間を２週間短縮することができる。
【０００４】
ところで、３人の作業者それぞれが作成した分割プロジェクト１〜３は１つの目標プロジェクトＡに統合する必要があるが、この統合は、プロジェクトインポート機能を用いて行われる。すなわち、上記の場合、図１２のように分割プロジェクト１〜３を、プロジェクトインポート機能によりまとめると目標プロジェクトＡになる。なお、この統合の作業は上記３人のいずれかにより、あるいは別の作業者により行うことができる。
【０００５】
プロジェクトインポートとはあるアプリケーションのプロジェクトを別のアプリケーションのプロジェクト（器プロジェクト）に読み込む処理（コピー）のことである。この器プロジェクトは図１３のように分割プロジェクト１〜３をまとめるための新規作成のプロジェクトである。
【０００６】
この器プロジェクトにプロジェクトインポート機能を実行することにより、３つの分割プロジェクト１〜３を１つの目標プロジェクトＡにまとめることができる。
【０００７】
この場合、分割プロジェクト１〜３中のどのデータを器プロジェクトに読み込む（コピー）かを図１４のように予め決定しておく。図１４では分割プロジェクト１ではデータ１、データ２であり、分割プロジェクト２では、データ３、データ４、データ５であり、分割プロジェクト３ではデータ６、データ７、データ８、データ９である。
【０００８】
そして、この決定に対応して、最終的に器プロジェクトに必要なデータを作業者がコンピュータのポインティングデバイスを用いた手作業ですべてインポートすることにより図１５のように器プロジェクトは目標プロジェクトＡとなる。
【０００９】
次に、図１５に示す目標プロジェクトＡ中のデータのうち、例えば、図１６のように例えば「データ１」に不具合がある場合、この「データ１」の不具合を修正する方法に以下の２つがある。この場合、不具合の「データ１」に関して、図１７で示すように、目標プロジェクトＡ中の「データ１」と、分割プロジェクト１中の「データ１」とは同じデータである。
【００１０】
まず、１つの方法として目標プロジェクトＡ中の不具合のある「データ１」のみを修正する方法である。この方法では、目標プロジェクトＡ中の「データ１」の不具合は修正される。しかし、分割プロジェクト１中には不具合のある「データ１」は残る。
【００１１】
この分割プロジェクト１中の「データ１」が他の目標プロジェクトＢでも使い回しをするデータであれば、その「データ１」を分割プロジェクト１の「データ１」から取り込むと目標プロジェクトＢ中には「データ１」は不具合のデータとして存在することになり、この目標プロジェクトＢ中の「データ１」を修正する必要がある。
【００１２】
もう１つの方法は、分割プロジェクト１中の「データ１」を修正する方法である。この方法では、分割プロジェクト１〜３を再度、器プロジェクトにインポートする必要がある。このインポート作業においては図１４に従って行う必要があるが、このインポート作業を間違える可能性がある。つまり、インポートする必要がないデータがインポートされたり、インポートする必要があるデータのインポートを忘れたりすることがある。
【００１３】
以上を整理すると、目標プロジェクトのみを修正する場合は、修正作業が簡単になるが、分割プロジェクト中のデータの使い回しができなくなる。
【００１４】
分割プロジェクト中のデータを修正する場合は、そのデータの使い回しはできるが、再度、インポートする必要がある。
【００１５】
なお、背景技術の対象となる特許公報等は見当たらなかった。関連する特許文献を以下に挙げる。
【特許文献１】特開２００２−１０９２３４
【特許文献１】特開２００２−２９７８５３
【発明の開示】
【発明が解決しようとする課題】
【００１６】
したがって、本発明により解決すべき課題は、目標プロジェクトの修正作業が簡単でかつ分割プロジェクト中のデータの使い回しを可能とすることである。
【課題を解決するための手段】
【００１７】
本発明は、コンピュータ上でそれに搭載したデータ作成用アプリケーションソフトを用いて複数のプロジェクト（分割プロジェクト）を分担作成する第１ステップと、コンピュータ上でそれに搭載したプロジェクト管理用アプリケーションソフト（プロジェクトマネージャ）を用いて上記作成が完了した分割プロジェクトの登録、各分割プロジェクトが含むデータの中から合成するデータの決定、この決定後に合成の実行を行うことにより、その決定に関わるデータが合成されたプロジェクト（合成プロジェクト）を目標プロジェクトとして得る第２ステップと、を含むことを特徴とするプロジェクト作成方法である。
【００１８】
本発明においては、第２ステップの終了後に合成プロジェクト中のデータに不具合があることが判明した場合、第１ステップに戻り、その不具合データを含むプロジェクトに対してそのデータの修正を行う。そして、プロジェクトマネージャを用いて、再度、第２のステップですべてのプロジェクトを登録すると既に合成すべきデータが登録してあるから、作業者は合成すべきデータを誤ることなく、合成プロジェクトを再構築することができる。
【００１９】
すなわち、本発明も従来もデータ修正は第１ステップは同じであるが、従来では各プロジェクトに含まれるデータから合成するべきデータを器プロジェクトにインポートする作業を繰り返す必要があり、そのインポート作業を間違える可能性がある上、極めて手間がかかる。これに対して本発明では、第２ステップでどのデータを合成するかが既に登録されているので、プロジェクトマネージャにより自動的に、上記間違いを起こすことなく、また手間もかからず、作業者は合成操作を機能させるだけで、合成プロジェクトを生成することができる。
【００２０】
特に、本発明では、第１ステップに戻って不具合のあるデータを含むプロジェクトに対してそのデータを修正するので、そのデータを含むプロジェクトを別の合成プロジェクトを生成するのに用いる場合、そのプロジェクトを使い回しすることができる結果、合成プロジェクトの作成時間の短縮化、容易化、正確化を図ることができる。
【発明の効果】
【００２１】
本発明によれば、複数の分割プロジェクトに含むデータを合成して目標プロジェクトを作成する作業が簡単であるとともに、分割プロジェクト中のデータの使い回しが可能となる。
【発明を実施するための最良の形態】
【００２２】
以下、添付した図面を参照して、本発明の実施の形態に係るプロジェクト作成方法を説明する。実施の形態では説明の簡単化のため分割プロジェクトの数を３つとする。
【００２３】
図１（ａ）に、分割プロジェクト１〜３をプロジェクトマネージャＰ／Ｍにより目標プロジェクトＢに組み合わせたものを示す。分割プロジェクト１〜３はそれぞれ多人数で作成されるプロジェクトである。プロジェクトマネージャＰ／Ｍは分割プロジェクト１〜３それぞれを統合して別の目標プロジェクトＢを構築する。目標プロジェクトＢは分割プロジェクト１〜３それぞれの画面、分割プロジェクト１〜３を統合したタグのデータベース（ＴａｇＤ／Ｂ）、分割プロジェクト１〜３を統合したイベントのデータベース（ＥｖｅｎｔＭａｎａｇｅｒ）、分割プロジェクト１〜３を統合したメッセージのデータベース（ＭｅｓｓａｇｅＤ／Ｂ）を含む。プロジェクトマネージャＰ／Ｍはプロジェクトインポートで行っていたプロジェクトの統合を自動的に行って別のプロジェクトを作成する。この場合、プロジェクトマネージャＰ／Ｍは編集機能を持たないで、あくまでプロジェクトを統合し、統合したプロジェクトを転送するものである。また、ＴａｇＤ／Ｂ等の名称が重なっていても、自動的にこの重なりを解決し、新規の目標プロジェクトＢを生成する。
【００２４】
図１（ｂ）に、分割プロジェクト１と分割プロジェクト３とを第１プロジェクトマネージャＰ／Ｍにより目標プロジェクトＣに組み合わせ、分割プロジェクト１と分割プロジェクト２とを第２プロジェクトマネージャＰ／Ｍにより目標プロジェクトＤに組み合わせ、分割プロジェクト２と分割プロジェクト３とを第３プロジェクトマネージャＰ／Ｍにより目標プロジェクトＥに組み合わせたものを示している。
【００２５】
図１（ａ）、図１（ｂ）においては、分割プロジェクト１〜３をコンピュータ上でそれに搭載したデータ作成用アプリケーションソフトを用いて作成する。この分割プロジェクト１〜３は１つのプロジェクトを３つのプロジェクト（分割プロジェクト）に分割したものであり、作業者それぞれがその作成を分担するものである。プロジェクトマネージャＰ／Ｍは、コンピュータ上に搭載したプロジェクト管理用アプリケーションソフトであり、そのプロジェクトマネージャＰ／Ｍを起動することにより、作成が完了した分割プロジェクト１〜３それぞれの登録、各分割プロジェクト１〜３が含むデータの中から合成するデータの決定、この決定後に合成の実行を行うことにより、その決定に関わるデータが合成された目標プロジェクトＢ〜Ｅを得るようになっている。
【００２６】
以下、図２以降を参照して説明する。
【００２７】
まず、図２で示すようにアプリケーションソフトを用いて画像、音声、レシピ、画面等の複数の、実施の形態では３つの分割プロジェクト１、分割プロジェクト２、分割プロジェクト３の作成を行い、この作成が完了すると、これら分割プロジェクト１、分割プロジェクト２、分割プロジェクト３をプロジェクト管理用アプリケーションソフトであるプロジェクトマネージャに登録する。
【００２８】
次いで、図３で示すようにプロジェクトマネージャにおいては分割プロジェクト１、分割プロジェクト２、分割プロジェクト３の中からどのデータを合成するかを決定する。分割プロジェクト１ではデータ１，データ２、分割プロジェクト２ではデータ３，データ４，データ５、分割プロジェクト３ではデータ６，データ７，データ８，データ９が合成するデータである。
【００２９】
次いで、図４で示すようにプロジェクトマネージャで合成機能を実行する。図４では分割プロジェクト１、分割プロジェクト２、分割プロジェクト３の作成が完了し、これらがプロジェクトマネージャに登録され、プロジェクトマネージャで合成され、合成プロジェクトとして転送される状態が示されている。
【００３０】
この合成プロジェクトは、図５で示すように、目標プロジェクトＡである。
【００３１】
目標プロジェクトＡが含むデータは、図６で示すように、分割プロジェクト１〜３それぞれのデータ１〜９である。この場合、目標プロジェクトＡ中の例えばデータ１に不具合があった場合、この不具合のあるデータ１は、分割プロジェクト１中のデータ１と同じデータである。
【００３２】
このデータ１の修正は、図７で示すように分割プロジェクト１中のデータ１に対して実施し、修正後は分割プロジェクト１´とする。そして、図８で示すように分割プロジェクト１´，２，３としてプロジェクトマネージャに登録する。この場合、プロジェクトマネージャでは各分割プロジェクト１´，２，３中のどのデータを合成するかは登録済みであるから、この合成機能を実行することにより、合成プロジェクトを得ることができる。
【００３３】
こうして、図９で示すように目標プロジェクトＡ中のデータにおいて不具合のあるデータ１は不具合が解消されたデータ１´に置き換えられるとともに、分割プロジェクト１中のデータ１はデータ１´に置き換えられ、使い回しすることができる。
【図面の簡単な説明】
【００３４】
【図１】図１は本発明の実施の形態に係る方法の説明に用いる分割プロジェクトと、プロジェクトマネージャと、目標プロジェクトとのブロック図である。
【図２】図２は実施の形態方法の説明に用いる分割プロジェクトとプロジェクトマネージャとのブロック図である。
【図３】図３は実施の形態方法の説明に用いる分割プロジェクト内のデータを示すブロック図である。
【図４】図４は実施の形態方法の説明に用いる分割プロジェクトとプロジェクトマネージャと合成プロジェクトとのブロック図である。
【図５】図５は実施の形態方法の説明に用いる合成プロジェクトと目標プロジェクトとのブロック図である。
【図６】図６は実施の形態方法の説明に用いる目標プロジェクトと分割プロジェクトとのブロック図である。
【図７】図７は実施の形態方法の説明に用いる分割プロジェクトと修正分割プロジェクトとのブロック図である。
【図８】図８は実施の形態方法の説明に用いる修正分割プロジェクトを含む分割プロジェクトとプロジェクトマネージャと合成プロジェクトとのブロック図である。
【図９】図９は実施の形態方法の説明に用いる目標プロジェクトと修正分割プロジェクトとのブロック図である。
【図１０】図１０は目標プロジェクトの作成日数の説明に用いる図である。
【図１１】図１１は目標プロジェクトの作成日数の説明に用いる図である。
【図１２】図１２は分割プロジェクトの統合の説明に用いる図である。
【図１３】図１３は分割プロジェクトの統合の説明に用いる図である。
【図１４】図１４は分割プロジェクトの統合の説明に用いる図である。
【図１５】図１５は器プロジェクトにおけるデータのインポートの説明に用いる図である。
【図１６】図１６は目標プロジェクト内のデータの修正の説明に用いる図である。
【図１７】図１７は目標プロジェクト内のデータの修正の説明に用いる図である。
【図１】
2007249346.tif 000003
【図２】
2007249346.tif 000004
【図３】
2007249346.tif 000005
【図４】
2007249346.tif 000006
【図５】
2007249346.tif 000007
【図６】
2007249346.tif 000008
【図７】
2007249346.tif 000009
【図８】
2007249346.tif 000010
【図９】
2007249346.tif 000011
【図１０】
2007249346.tif 000012
【図１１】
2007249346.tif 000013
【図１２】
2007249346.tif 000014
【図１３】
2007249346.tif 000015
【図１４】
2007249346.tif 000016
【図１５】
2007249346.tif 000017
【図１６】
2007249346.tif 000018
【図１７】
2007249346.tif 000019